(57)【特許請求の範囲】
【請求項１】
糸を追撚して撚り回数を増やし、この普通の糸より撚り回数を増やした糸を用いて天竺編、かのこ編その他のシングル丸編みにより一定間隔のストライプａ，ａを有する筒状の編地Ａを編成した後、筒状のこの編地Ａを長手方向のカットラインc1に沿って裁断し、それを切り開いて、糸を追撚して撚り回数を増やし、この普通の糸より撚り回数を増やした前記糸が斜行する性質を利用して前記ストライプａをバイアス状に大きく斜行せしめることを特徴とするバイアスストライプ生地の製造方法。
【発明の詳細な説明】
【０００１】
【発明の属する技術分野】
本発明は、糸を追撚して撚り回数を増やし、この普通の糸より撚り回数を増やした糸を用いて編成された生地であって一定間隔のストライプを有するバイアスストライプ生地の製造方法に関するものである。
【０００２】
【従来の技術】
綿を軽く撚っただけの普通の糸を用いて天竺編、かのこ編その他のシングル丸編みにより筒状の編地を編成することは、従来から普通に行われている。この場合において、一定間隔のストライプa'，a'を有するものとするためには、図２の左側に示すように、ストライプa'となる部分の糸の色を他の部分と異ならしめながら順次連続する筒状の編地A'に編成して行く。
【０００３】
【発明が解決しようとする課題】
このように、普通の糸を用いて編成された筒状の編地A'を、図２の左側に示すように、長手方向のカットラインc1' に沿って裁断し、それを同図右側に示すように切り開いて一枚の平らな生地B'にした場合には、一定間隔のストライプa'，a'はわずかに傾斜するに過ぎない。したがって、この生地を用いてシャツその他の衣料品を縫製した場合には、有り触れた斜め縞模様のものが出来上がるに過ぎない。また、横縞模様（横ボーダーと称せられる）の衣料品D'もごく普通のものである。
【０００４】
一方、普通の糸よりも強く撚った糸（糸を追撚して撚り回数を増やし、この普通の糸より撚り回数を増やした糸）を用いた場合には、普通の糸を用いた場合に比べて独特なしゃり感やぬめり感などを有する生地になることが様々な研究を通して立証されるに至った。このような風合いと外観は衣料品の生地として最も重要な要素であり、無視することができないものである。そして、糸を追撚して撚り回数を増やし、この普通の糸より撚り回数を増やした上記糸を用いた生地も盛んに販売されるようになった。
【０００５】
このような状況下において、糸を追撚して撚り回数を増やし、この普通の糸より撚り回数を増やした上記糸を用いた生地の大半は無地であり、ストライプ模様を有するものはほとんど見当たらない。逆に、横縞模様（横ボーダーと称せられる）の衣料品には糸を追撚して撚り回数を増やし、この普通の糸より撚り回数を増やした糸が用いられておらず、独特なしゃり感やぬめり感など衣料品の生地として最も重要な要素を有していない。
そこで、衣料品の生地として最も重要な上記各要素を有し、かつ、バイアス状に大きく斜行するストライプ模様を有する生地の開発が望まれている。合わせて、そのような衣料品の出現も待ち望まれている。本発明は、これらの要望を満たす生地を製造する方法を提供することを目的とするものである。
【０００６】
【課題を解決するための手段】
上記目的は、糸を追撚して撚り回数を増やし、この普通の糸より撚り回数を増やした糸を用いて天竺編、かのこ編その他のシングル丸編みにより一定間隔のストライプａ，ａを有する筒状の編地Ａを編成した後、筒状のこの編地Ａを図１に示すように長手方向のカットラインc1に沿って裁断し、それを同図右側に示すように切り開いて、糸を追撚して撚り回数を増やし、この普通の糸より撚り回数を増やした前記糸が斜行する性質を利用して前記ストライプａをバイアス状に大きく斜行せしめることによって達成することができる。
【０００７】
すなわち、本発明は、筒状のこの編地Ａを裁断して切り開いて、糸を追撚して撚り回数を増やし、この普通の糸より撚り回数を増やした前記糸が斜行して図１の右側に示すように生地全体が大きく歪み、それに伴って一定間隔のストライプａ，ａがバイアス状に大きく斜行してバイアスストライプ模様になることを巧みに利用したものである。このように、糸を追撚して撚り回数を増やし、この普通の糸より撚り回数を増やした糸を用いることによってバイアス状に大きく斜行するバイアスストライプ模様を有するきわめて特異な生地を得ることができるのみならず、独特なしゃり感やぬめり感など衣料品の生地として最も重要な要素を有する生地を得ることができる。
【０００８】
【発明の実施の形態】
本発明の好ましい実施の形態を、図面に基いて詳細に説明する。
本発明においては、糸を追撚して撚り回数を増やし、この普通の糸より撚り回数を増やした（追撚りと称せられる）糸を用いて天竺編、かのこ編その他のシングル丸編みにより一定間隔のストライプａ，ａを有する筒状の編地Ａを編成する。この場合には、普通の糸を用いた場合に比べて独特なしゃり感やぬめり感などを有する生地になる。
【０００９】
糸の撚り回数について例を挙げると、例えば、綿糸の場合では、普通の糸の撚り回数は１インチ当り通常次に示す通りである（太さにより、通常の撚り回数は異なる）のに対し、本発明で用いる糸はこのような糸より撚り回数を１インチ当り通常次に示す程度増やした（追撚りした）ものである。
綿番手    普通の糸の撚り回数    本発明で用いる糸の追撚り回数（合計撚り回数）
10/1     １４回／１インチ        １０回／１インチ（２４回／１インチ）
20/1     １７回／１インチ        １２回／１インチ（２９回／１インチ）
30/1     ２０回／１インチ        １５回／１インチ（３５回／１インチ）
40/1     ２２回／１インチ        ２０回／１インチ（４２回／１インチ）
追撚り回数を何回にするかは自由である。同じ番手の糸であれば、追撚り回数を増やすと、それだけ前記バイアスストライプの斜行は大きくなる傾向にある。
なお、シングル丸編みとは針が植え付けられている釜（シリンダ）を１つ用いた丸編機で編成される編み方をいい、天竺編、かのこ編のほかに、浮き編、パイル編などを挙げることができる。
【００１０】
そして、一定間隔のストライプａ，ａを有する筒状の編地Ａを図１の左側に示すように長手方向のカットラインc1に沿って裁断し、それを同図右側に示すように切り開く。すると、糸を追撚して撚り回数を増やし、この普通の糸より撚り回数を増やした糸は斜行する性質を有しているため、その性質によって前記ストライプａは同図右側に示すようにバイアス状に大きく斜行せしめられることになる。すなわち、本発明では、筒状の編地Ａを切り開いて、糸を追撚して撚り回数を増やし、この普通の糸より撚り回数を増やした前記糸が斜行する性質を利用して前記ストライプａをバイアス状に大きく斜行せしめたものである。
【００１１】
前記ストライプａをバイアス状に大きく斜行せしめたバイアスストライプ生地Ｂを図３(a)の鎖線で示すように所定形状に裁断し、それを縫製して図３(b)に示すようにシャツその他の衣料品Ｄとする。
このような衣料品Ｄは、バイアス状に大きく斜行するバイアスストライプ模様を有しており、従来の有り触れた斜め縞模様のものに比べて、また、例えば、図４に示すような有り触れた横縞模様の衣料品D'に比べてきわめてしゃれたものである。このバイアスストライプ生地ＢでＴシャツを縫製した場合には、特にしゃれたものになる。
【００１２】
普通の糸を用いて編成された筒状の編地A'を、図２の左側に示すように、長手方向のカットラインc1' に沿って裁断し、それを同図右側に示すように切り開いて一枚の平らな生地B'にした場合には、一定間隔のストライプa'，a'はわずかに傾斜するに過ぎない。したがって、この生地を用いてシャツその他の衣料品を縫製した場合には、有り触れた斜め縞模様のものが出来上がるに過ぎない。
これに対して、本発明の製造方法により得られた生地の場合には、バイアス状に大きく斜行するバイアスストライプ模様を有しており、従来の有り触れた斜め縞模様のものや有り触れた横縞模様（横ボーダーと称せられる）のものに比べてきわめてしゃれている。
【００１３】
なお、図１、図２に示す筒状の編地Ａ、A'における一定間隔のストライプａ、a'部分については、他の部分と糸の色を異ならしめてあり、色違いの糸を交互に用いることによって一定間隔のストライプ模様を形成することができる。そして、図１、図２のストライプａ、a'部分については、それらを細かい間隔で縦方向に同じ長さで走る多数の直線で表してある。これに対して、両図の右側に示すように切り開いて一枚の平らな生地Ｂ，B'にした場合におけるストライプａ、a'部分については、黒く塗りつぶした形で表してある。また、図３(a)におけるストライプａ部分については、便宜上、塗りつぶさない形で表してある。
【００１４】
筒状の編地Ａを編成するに当っては、切り開かれた場合の生地Ｂの横幅が１８０ｃｍ程度になるように編成するのが好ましいが、横幅をどの程度にするかは自由であり、また、前記数値よりも狭くなるように、あるいは、前記数値よりも広くなるように筒状の編地Ａを編成することもできる。また、切り開かれた場合の生地Ｂの長さは編成される筒状の編地Ａの長さによって異なるが、その長さをどの程度にするかも自由であり、通常２ｍ〜４０ｍとすることができる。
なお、図１の右側に示すように、バイアス状に大きく斜行するバイアスストライプ生地Ｂを長さ方向の２箇所c2，c2でカットすると、方形状の正規の生地製品とすることができる。
【００１５】
【発明の効果】
請求項１記載のバイアスストライプ生地の製造方法によれば、一定間隔のストライプがバイアス状に大きく斜行するバイアスストライプ模様を有するきわめて特異な生地を得ることができるのみならず、独特なしゃり感やぬめり感など衣料品の生地として最も重要な要素を有する生地を得ることができる。
【図面の簡単な説明】
【図１】糸を追撚して撚り回数を増やし、この普通の糸より撚り回数を増やした糸を用いて本発明の製造方法によりバイアスストライプ生地を編成する様子を示すもので、筒状に編成した状態と、それを切り開いて一枚の生地にした状態とを示す。
【図２】普通の糸を用いて従来のストライプ生地を編成する様子を示すもので、筒状に編成した状態と、それを切り開いて一枚の生地にした状態とを示す。
【図３】糸を追撚して撚り回数を増やし、この普通の糸より撚り回数を増やした糸を用いて本発明の製造方法により得られたバイアスストライプ生地で衣料品を製造する様子を示すもので、(a) はこの生地を所定形状に裁断する状態を、(b) は所定形状に裁断した生地から縫製された衣料品の一例を示す。
【図４】従来の有り触れた横縞模様（横ボーダーと称せられる）を有する衣料品の一例を示す図である。
【符号の説明】
Ａ…筒状の編地、ａ…ストライプ、Ｂ…バイアスストライプ生地、c1，c2…カットライン、Ｄ…衣料品。
【図１】
0003729754.tif 000002
【図２】
0003729754.tif 000003
【図３】
0003729754.tif 000004
【図４】
0003729754.tif 000005